(57)【要約】  複数のデータ線Ａ１〜Ａｍと複数の走査線Ｋ１〜Ｋｎとの各交点位置に発光素子Ｅ１１〜Ｅｍｎによる画素がマトリクス状に接続された表示パネル１と、前記各走査線に接続されて選択的に前記各走査線の走査を実行する走査ドライバ３と、前記各画素に表示信号を供給するデータドライバ２とにより表示装置が構成される。  前記走査ドライバ３による走査に同期して、前記各発光素子に蓄積された電荷を放電させるリセット期間が設定される。このリセット期間においては、前記走査線のうち、少なくとも２つの走査線に接続された発光素子の前記リセット期間における放電開始タイミングおよび／または放電終了タイミングが異なるように制御される。この結果、各発光素子の寄生容量に充放電される電荷の充放電のタイミングが分散され、この時に生ずる放射ノイズのレベルを低減させることができる。
2008111182.tif 000002
【特許請求の範囲】
【請求項１】
複数のデータ線および複数の走査線の各交差位置に容量性の発光素子を含む画素が配置された表示パネルと、前記各走査線に接続されて選択的に前記各走査線の走査を実行する走査ドライバと、前記各画素に表示信号を供給するデータドライバとが具備された表示装置であって、
前記走査ドライバによる走査に同期して、前記各発光素子に蓄積された電荷を放電させるリセット期間が設定され、
前記走査線のうち、少なくとも２つの走査線に接続された発光素子の前記リセット期間における放電開始タイミングが異なるように制御されることを特徴とする表示装置。
【請求項２】
複数のデータ線および複数の走査線の各交差位置に容量性の発光素子を含む画素が配置された表示パネルと、前記各走査線に接続されて選択的に前記各走査線の走査を実行する走査ドライバと、前記各画素に表示信号を供給するデータドライバとが具備された表示装置であって、
前記走査ドライバによる走査に同期して、前記各発光素子に蓄積された電荷を放電させるリセット期間が設定され、
次の走査期間において走査対象外となる走査線のうち、少なくとも２つの走査線に接続された発光素子の前記リセット期間における放電終了タイミングが異なるように制御されることを特徴とする表示装置。
【請求項３】
複数のデータ線および複数の走査線の各交差位置に容量性の発光素子を含む画素が配置された表示パネルと、前記各走査線に接続されて選択的に前記各走査線の走査を実行する走査ドライバと、前記各画素に表示信号を供給するデータドライバとが具備された表示装置であって、
前記走査ドライバによる走査に同期して、前記各発光素子に蓄積された電荷を放電させるリセット期間が設定され、
前記走査線のうち、少なくとも２つの走査線に接続された発光素子の前記リセット期間における放電開始タイミングが異なり、かつ次の走査期間において走査対象外となる走査線のうち、少なくとも２つの走査線に接続された発光素子の前記リセット期間における放電終了タイミングが異なるように制御されることを特徴とする表示装置。
【請求項４】
前記表示パネルに配列された走査線の配列順序において、奇数番目と偶数番目の走査線に接続された各発光素子の前記リセット期間における放電開始タイミングが異なるように制御されることを特徴とする請求項１に記載された表示装置。
【請求項５】
前記表示パネルに配列された走査線の配列順序において、奇数番目と偶数番目の走査線に接続された各発光素子の前記リセット期間における放電終了タイミングが異なるように制御されることを特徴とする請求項２に記載された表示装置。
【請求項６】
前記表示パネルに配列された走査線の配列順序において、奇数番目と偶数番目の走査線に接続された各発光素子の前記リセット期間における放電開始タイミングが異なり、かつ奇数番目と偶数番目の走査線に接続された各発光素子の前記リセット期間における放電終了タイミングが異なるように制御されることを特徴とする請求項３に記載された表示装置。
【請求項７】
前記表示パネルに配列された全ての前記走査線に接続された各発光素子の前記リセット期間における放電開始タイミングが、走査線ごとに異なるように制御されることを特徴とする請求項１に記載された表示装置。
【請求項８】
前記表示パネルに配列された全ての前記走査線に接続された各発光素子の前記リセット期間における放電終了タイミングが、走査線ごとに異なるように制御されることを特徴とする請求項２に記載された表示装置。
【請求項９】
前記表示パネルに配列された全ての前記走査線に接続された各発光素子の前記リセット期間における放電開始タイミング、および放電終了タイミングが、走査線ごとに異なるように制御されることを特徴とする請求項３に記載された表示装置。
【請求項１０】
複数のデータ線および複数の走査線の各交差位置に容量性の発光素子を含む画素が配置された表示パネルと、前記各走査線に接続されて選択的に前記各走査線の走査を実行する走査ドライバと、前記各画素に表示信号を供給するデータドライバとが具備された表示装置の駆動方法であって、
前記走査ドライバによる走査に同期して、前記各発光素子に蓄積された電荷を放電させるリセット期間が設定され、
前記走査線のうち、少なくとも２つの走査線に接続された発光素子の前記リセット期間における放電開始タイミングが異なるように制御することを特徴とする表示装置の駆動方法。
【請求項１１】
複数のデータ線および複数の走査線の各交差位置に容量性の発光素子を含む画素が配置された表示パネルと、前記各走査線に接続されて選択的に前記各走査線の走査を実行する走査ドライバと、前記各画素に表示信号を供給するデータドライバとが具備された表示装置の駆動方法であって、
前記走査ドライバによる走査に同期して、前記各発光素子に蓄積された電荷を放電させるリセット期間が設定され、
次の走査期間において走査対象外となる走査線のうち、少なくとも２つの走査線に接続された発光素子の前記リセット期間における放電終了タイミングが異なるように制御することを特徴とする表示装置の駆動方法。
【請求項１２】
複数のデータ線および複数の走査線の各交差位置に容量性の発光素子を含む画素が配置された表示パネルと、前記各走査線に接続されて選択的に前記各走査線の走査を実行する走査ドライバと、前記各画素に表示信号を供給するデータドライバとが具備された表示装置の駆動方法であって、
前記走査ドライバによる走査に同期して、前記各発光素子に蓄積された電荷を放電させるリセット期間が設定され、
前記走査線のうち、少なくとも２つの走査線に接続された発光素子の前記リセット期間における放電開始タイミングが異なり、かつ次の走査期間において走査対象外となる走査線のうち、少なくとも２つの走査線に接続された発光素子の前記リセット期間における放電終了タイミングが異なるように制御することを特徴とする表示装置の駆動方法。
【発明の詳細な説明】
【技術分野】
【０００１】
この発明は、例えば有機ＥＬ（エレクトロ・ルミネッセンス）素子などの容量性の素子を表示画素として用いた表示装置およびその駆動方法に関する。
【背景技術】
【０００２】
携帯電話機や携帯型情報端末機（ＰＤＡ）などの普及によって、高精細な画像表示機能を有し、薄型かつ低消費電力化を実現することができる表示パネルの需要が増大しており、従来より液晶表示パネルがその要求を満たす表示パネルとして多くの製品に採用されてきた。【０００３】
一方、昨今においては自発光型素子であるという特質を生かした有機ＥＬ素子が実用化され、これが従来の液晶表示パネルに代わる次世代の表示パネルとして注目されている。これは素子の発光層に、良好な発光特性を期待することができる有機化合物を使用することによって、実用に耐え得る高効率化および長寿命化が進んだことも背景にある。【０００４】
前記した有機ＥＬ素子は、基本的にはガラス等の透明基板上に、例えばＩＴＯによる透明電極（陽極）と発光機能層、およびアルミ合金などによる金属電極（陰極）とが順次積層されることで構成されている。【０００５】
前記発光機能層は有機化合物による単一の発光層、あるいは有機正孔輸送層と発光層による二層構造、または有機正孔輸送層と発光層および有機電子輸送層からなる三層構造、さらには前記透明電極と正孔輸送層との間に正孔注入層を、また前記金属電極と電子輸送層との間に電子注入層を挿入した多層構造になされる場合もある。そして、前記発光機能層において発生する光は、前記透明電極および透明基板を介して外部に導出される。【０００６】
前記した有機ＥＬ素子は、電気的にはダイオード特性を有する発光エレメントと、この発光エレメントに並列に結合する寄生容量成分とによる構成に置き換えることができ、有機ＥＬ素子は容量性の発光素子であるということが言える。この有機ＥＬ素子は、発光駆動電圧が印加されると、先ず当該素子の電気容量に相当する電荷が電極に変位電流として流れ込み蓄積される。続いて当該素子固有の一定の電圧（発光閾値電圧＝Ｖｔｈ）を越えると、一方の電極（ダイオード成分のアノード側）から発光機能層に向かって電流が流れはじめ、この電流に比例した強度で発光すると考えることができる。【０００７】
一方、有機ＥＬ素子は電流・輝度特性が温度変化に対して安定しているのに対して、電圧・輝度特性が温度に対する依存性が高いこと、また、有機ＥＬ素子は過電流を受けた場合に劣化が激しく、発光寿命を短縮させるなどの理由により、一般的には定電流駆動がなされる。かかる有機ＥＬ素子を用いた表示パネルとして、素子をマトリクス状に配列したパッシブ駆動型表示パネルが、すでに一部において実用化されている。【０００８】
図１には従来のパッシブマトリクス型表示パネルと、その駆動回路の一例が示されており、これは陰極線走査・陽極線ドライブの形態を示している。すなわち、ｍ本のデータ線（以下、これを陽極線とも言う。）Ａ１〜Ａｍが縦方向に配列され、ｎ本の走査線（以下、これを陰極線とも言う。）Ｋ１〜Ｋｎが横方向に配列され、各々の交差した部分（計ｍ×ｎ箇所）に、ダイオードおよびコンデンサのシンボルマークによる並列結合体で示した有機ＥＬ素子Ｅ１１〜Ｅｍｎが配置されて、表示パネル１を構成している。【０００９】
そして、画素を構成する各ＥＬ素子Ｅ１１〜Ｅｍｎは、縦方向に沿う陽極線Ａ１〜Ａｍと横方向に沿う陰極線Ｋ１〜Ｋｎとの各交点位置に対応して、一端（ＥＬ素子の等価ダイオードにおけるアノード端子）が陽極線に、他端（ＥＬ素子の等価ダイオードにおけるカソード端子）が陰極線に接続されている。さらに、各陽極線Ａ１〜Ａｍはデータドライバとしての陽極線ドライブ回路２に接続され、各陰極線Ｋ１〜Ｋｎは走査ドライバとしての陰極線走査回路３に接続されてそれぞれ駆動される。【００１０】
前記陽極線ドライブ回路２には、駆動電圧源ＶＨからの供給電圧を利用して動作する定電流源Ｉ１〜ＩｍおよびドライブスイッチＳａ１〜Ｓａｍが備えられており、ドライブスイッチＳａ１〜Ｓａｍが、前記定電流源Ｉ１〜Ｉｍ側に接続されることにより、定電流源Ｉ１〜Ｉｍからの電流が、陰極線に対応して配置された個々のＥＬ素子Ｅ１１〜Ｅｍｎ対して供給されるように作用する。また前記ドライブスイッチＳａ１〜Ｓａｍは、定電流源Ｉ１〜Ｉｍからの電流を個々のＥＬ素子に供給しない場合には、当該陽極線を回路の基準電位点としてのグランド側に接続できるように構成されている。【００１１】
一方、走査ドライバとして機能する前記陰極線走査回路３には、各陰極線Ｋ１〜Ｋｎに対応して走査スイッチＳｋ１〜Ｓｋｎが備えられ、非走査選択電位として機能する主にクロストーク発光を防止するために用いられる逆バイアス電圧源ＶＭからの逆バイアス電圧、もしくは走査選択電位として機能する基準電位点としてのグランド電位ＧＮＤのうちのいずれか一方を、対応する陰極線に供給することができるように構成されている。【００１２】
そして、前記した陽極線ドライブ回路２および陰極線走査回路３には、ＣＰＵ等を含む発光制御回路４よりコントロールバスを介してそれぞれに制御信号が供給され、表示すべき映像信号に基づいて、前記走査スイッチＳｋ１〜ＳｋｎおよびドライブスイッチＳａ１〜Ｓａｍの切り換え操作がなされる。【００１３】
これにより、映像信号に基づいて陰極線を所定の周期でグランド電位に設定しながら所望の陽極線に対して定電流源Ｉ１〜Ｉｍが接続され、前記各ＥＬ素子Ｅ１１〜Ｅｍｎは選択的に発光される。したがって、表示パネル１上には前記映像信号に基づく画像があたかも連続して点灯されているように表示される。【００１４】
なお、図１に示す状態は、第２の陰極線Ｋ２がグランド電位に設定されて走査状態になされ、この時、非走査状態の各陰極線Ｋ１，Ｋ３〜Ｋｎには、前記した逆バイアス電圧源ＶＭからの逆バイアス電圧が印加される。ここで、走査点灯状態におけるＥＬ素子の順方向電圧をＶｆとした時、〔（順方向電圧Ｖｆ）−（逆バイアス電圧ＶＭ）〕＜（発光閾値電圧Ｖｔｈ）の関係となるように各電位設定がなされており、したがってドライブされている陽極線と走査選択がなされていない陰極線との交点に接続された各ＥＬ素子がクロストーク発光するのを防止するように作用する。【００１５】
ところで、表示パネル１に配列された各有機ＥＬ素子は前記したように個々に寄生容量を有しており、これが陽極線と陰極線との交点位置にマトリクス状に配列されているがため、例えば１つの陽極線に数十個のＥＬ素子が接続されている場合を例にすると、当該陽極線から見て各寄生容量の数百倍もしくはそれ以上の合成容量が負荷容量として陽極線に接続されることになる。この合成容量はマトリクスのサイズが大きくなるにしたがって顕著に増大する。【００１６】
したがって、各走査ごとのＥＬ素子の点灯期間の初めにおいては、陽極線を介した前記定電流源Ｉ１〜Ｉｍからの電流は前記した合成負荷容量を充電するために費やされ、ＥＬ素子の発光閾値電圧（Ｖｔｈ）を十分に超えるまでに前記負荷容量を充電するには時間遅れが発生する。それ故、ＥＬ素子の発光の立ち上がりが遅れる（緩慢になる）という問題が発生する。特に、前記したようにＥＬ素子の駆動源として定電流源Ｉ１〜Ｉｍを用いた場合においては、定電流源は動作原理上、ハイインピーダンス出力回路であるがため、電流が制限されてＥＬ素子の発光立ち上がりの遅れが著しくなる。【００１７】
これは、ＥＬ素子の点灯時間率を低下させることとなり、したがってＥＬ素子の実質的な発光輝度を低下させるという問題を抱えることになる。そこで、前記した寄生容量によるＥＬ素子の発光立ち上がりの遅れを無くすために、図１に示す構成においては、１走査期間ごとに逆バイアス電圧ＶＭを利用して点灯対象となるＥＬ素子の寄生容量に対して充電を行うリセット動作が実行される。【００１８】
図２は前記したリセット動作を含むＥＬ素子の点灯駆動動作について、陽極線Ａ１に着目して各素子に流れる電流の状態を模式的に示したものである。すなわち、図２は第１の陰極線（第１走査ライン）Ｋ１に接続されたＥＬ素子Ｅ１１の点灯状態から、前記リセット動作を経て第２の陰極線（第２走査ライン）Ｋ２に接続されたＥＬ素子Ｅ１２が点灯される状態を示している。【００１９】
図２（ａ）に示すように、ＥＬ素子Ｅ１１が点灯されている場合においては、ＥＬ素子Ｅ１１のカソードは第１走査ラインＫ１を介してグランドに設定され、定電流源Ｉ１よりＥＬ素子Ｅ１１に対して駆動電流が供給される。この時、陽極線Ａ１に接続された他のＥＬ素子（コンデンサのシンボルマークで示す。）には逆バイアス電圧ＶＭが印加されている。【００２０】
次の走査でＥＬ素子Ｅ１２を点灯させることになるが、ＥＬ素子Ｅ１２を点灯させる前に（ｂ）に示すように陽極線Ａ１はスイッチＳａ１を介してグランド電位に接続され、各走査スイッチＳＫ１〜ＳＫｎを介して全ての陰極線もグランド電位に接続される。これにより各ＥＬ素子の寄生容量に蓄積された電荷を全て放電させるリセット動作が実行される。【００２１】
次にＥＬ素子Ｅ１２を点灯させるために第２走査ラインＫ２が走査状態にされる。すなわち、第２走査ラインＫ２はグランドに接続され、それ以外の走査ラインには逆バイアス電圧ＶＭが与えられる。なおこの時、ドライブスイッチＳａ１は定電流源Ｉ１側に切り替えられる。【００２２】
前述したリセット動作時に各素子における寄生容量の電荷が放電しているため、この瞬間において（ｃ）に示すように、次に点灯される素子Ｅ１２以外の素子の寄生容量に対して矢印で示すように逆バイアス電圧ＶＭによる逆方向の充電がなされる。【００２３】
これらに対する充電電流は陽極線Ａ１を介して、次に点灯されるＥＬ素子Ｅ１２に流入し、当該ＥＬ素子Ｅ１２の寄生容量を瞬時に充電する。この時、陽極線Ａ１に接続された定電流源Ｉ１は、前記したとおり基本的にはハイインピーダンス回路であり、この充電電流の動きには影響を与えない。その後、陽極線Ａ１に流れる定電流源Ｉ１からの駆動電流により、（ｄ）に示すようにＥＬ素子Ｅ１２が点灯状態になる。【００２４】
図３は、一走査期間においてなされる前記したリセット期間を含むＥＬ素子の点灯駆動動作をタイミングチャートにより説明するものである。なお、図３（Ａ）は走査同期信号を示しており、この走査同期信号に同期して、リセット期間および点灯期間（定電流駆動期間＝ＣＣ）が設定される。【００２５】
そして、図３（Ｂ）および（Ｃ）は、前記各期間におけるデータドライバ（陽極線ドライブ回路）２に接続された陽極線における点灯ラインおよび非点灯ラインに印加される電位を示している。また、図２（Ｄ）および（Ｅ）は、前記各期間における走査ドライバ（陰極線走査回路）３に接続された陰極線における走査非対称ラインおよび走査対象ラインに印加される電位を示している。【００２６】
図３に示すリセット期間においては、データドライバ２に備えられた前記ドライブスイッチＳａ１〜Ｓａｍは、点灯制御させるＥＬ素子に対応する陽極線（点灯ライン）、および非点灯になされるＥＬ素子に対応する陽極線（非点灯ライン）を、図３（Ｂ）および（Ｃ）に示すようにそれぞれグランド電位ＧＮＤに設定する。【００２７】
一方、前記リセット期間における走査ドライバ３は、これに備えられた走査スイッチＳｋ１〜Ｓｋｎによって、非走査対象とする陰極線（走査非対象ライン）および走査対象とする陰極線（走査対象ライン）を、図２（Ｄ）および（Ｅ）に示すようにそれぞれグランド電位ＧＮＤに設定する。【００２８】
これにより、表示パネル１に配列された全てのＥＬ素子のアノードおよびカソードはグランド電位ＧＮＤに設定されて、各寄生容量に蓄積された電荷はゼロリセット（ＧＮＤ−ＧＮＤリセット）される。すなわち、すでに説明した図２（ｂ）に示した状態になされる。【００２９】
これに続く、ＥＬ素子の点灯期間である定電流駆動期間においては、前記ドライブスイッチＳａ１〜Ｓａｍによって、点灯させるＥＬ素子に対応する陽極線（点灯ライン）には、図３（Ｂ）に示すように定電流源Ｉ１〜Ｉｍより定電流が供給される。また、非点灯になされるＥＬ素子に対応する陽極線（非点灯ライン）は、図３（Ｃ）に示すようにグランド電位ＧＮＤに設定される。【００３０】
一方、前記点灯期間（定電流駆動期間）における走査ドライバ３は、これに備えられた前記走査スイッチＳｋ１〜Ｓｋｎによって、非走査対象とする陰極線（走査非対象ライン）に対しては、図３（Ｄ）に示すように非走査選択電位である逆バイアス電圧ＶＭを印加するように制御され、走査対象とする陰極線（走査対象ライン）を図３（Ｅ）に示すように走査選択電位であるグランド電位ＧＮＤに設定するように制御される。【００３１】
これにより、点灯期間（定電流駆動期間）への移行直後においては、図２（ｃ）に基づいて説明したとおり、点灯対象のＥＬ素子には逆バイアス電圧源ＶＭから、走査されていないＥＬ素子を介して過渡的に電流が流れ込み、点灯対象のＥＬ素子の寄生容量への充電（プリチャージ）が急速に行われ、点灯対象のＥＬ素子の発光の立上がりを迅速に行わせることができる。【００３２】
前記したように、リセット動作を実行して次に点灯駆動させようとするＥＬ素子に対して、非走査選択電位（逆バイアス電圧）を利用してプリチャージさせるパッシブ駆動型表示装置は、本件出願人がすでに出願した次に示す特許文献１に開示されている。
【特許文献１】特許第３５０７２３９号公報
【００３３】
ところで、前記した特許文献１に開示のようにリセット動作を実行する構成においては、リセット動作の開始時（図３における放電開始タイミングａ）において全てのＥＬ素子の寄生容量に蓄積されていた電荷が一瞬にして放電されるために、この時に高いレベルの放射ノイズが発生する。【００３４】
また前記したリセット動作の終了時（図３における放電終了タイミングｂ）においては、次に非走査対象となる各素子の寄生容量をそれぞれ介して点灯駆動させようとする素子に対して同時に充電電流が供給される（プリチャージされる）ことになるために、この時においても高いレベルの放射ノイズが発生するという問題が発生する。【００３５】
また、前記リセット動作の終了時（放電終了タイミングｂ）においては、逆バイアス電圧源ＶＭより、非走査対象となる走査線を介してプリチャージ用のピーク電流が瞬時に流れるために電源電圧が不安定になるという問題も招来される。【００３６】
前記したように表示装置の駆動によって発生する放射ノイズは、周辺回路に悪影響を与えるだけでなく、表示装置を駆動する電源電圧や各制御信号等を不安定にし、表示品質を悪化させる大きな要因になる。そして、前記したリセット動作に伴って発生する放射ノイズは、パネルサイズの大型化に伴う走査線数と素子数の増大にしたがって、より顕著に発生することになる。【００３７】
そこで、前記したリセット動作における放射ノイズを低減させるものであるとして、特許文献２に示された特許出願がなされている。これによるとリセット動作の終了タイミング（放電終了タイミング）に対して、データ線への駆動信号の供給タイミングをずらすことが開示されている。
【特許文献２】特開２００６−２８４８２８号公報
【００３８】
図４は、前記特許文献２に示された動作を説明するものであり、図４（Ａ）〜（Ｅ）は、すでに説明した図３（Ａ）〜（Ｅ）にそれぞれ対応させて示したものである。前記特許文献２に示された動作によると、リセット動作の終了時（図４における放電終了タイミングｂ）に対して、点灯対象となるデータ線（陽極線）に定電流の駆動信号を供給するタイミング（図４におけるタイミングｃ）をずらすことが開示されている。
【発明の開示】
【発明が解決しようとする課題】
【００３９】
前記特許文献２に開示された発明においては、前記したとおりリセット動作の終了時（放電終了タイミングｂ）に対して、点灯対象となるデータ線に定電流の駆動信号を供給するタイミング（タイミングｃ）をずらすことが開示されているものの、リセット動作の開始時（図４におけるタイミングａ）およびリセット動作の終了時（図４におけるタイミングｂ）においては、それぞれ同時に素子の寄生容量における電荷の放電、および各素子を介して次に点灯対象となる素子の寄生容量に対する充電が行われる。【００４０】
このために、図４におけるタイミングａおよびｂにおいて、放射ノイズが発生する点については従来と同様であり、これにより周辺回路に悪影響を与えるなど、すでに説明した問題が発生する。また、タイミングｂにおいては、逆バイアス電圧源ＶＭより、非走査対象となる走査線を介して充電用の電流が瞬時に流れる点においても従来と同様であり、特許文献２に開示された発明においては電源電圧の変動に伴う表示品質の悪化を低減させることはできない。【００４１】
そこで、この発明は前記したリセット動作の開始時（放電開始タイミング）および終了時（放電終了タイミング）において発生する放射ノイズに着目し、これを効果的に低減させることができる表示装置およびその駆動方法を提供することを課題の一つとするものである。また、この発明はリセット動作の終了時において、充電用の電流が瞬時に流れることにより、表示パネルの駆動用電源が不安定となる現象を軽減させることができる表示装置およびその駆動方法を提供することも課題の一つとするものである。
【課題を解決するための手段】
【００４２】
前記した課題を解決するためになされたこの発明にかかる表示装置は、以下の各独立請求項に示す構成を少なくとも具備する点に特徴を有する。【００４３】
その好ましい第１の構成は請求項１に記載のとおり、複数のデータ線および複数の走査線の各交差位置に容量性の発光素子を含む画素が配置された表示パネルと、前記各走査線に接続されて選択的に前記各走査線の走査を実行する走査ドライバと、前記各画素に表示信号を供給するデータドライバとが具備された表示装置であって、前記走査ドライバによる走査に同期して、前記各発光素子に蓄積された電荷を放電させるリセット期間が設定され、前記走査線のうち、少なくとも２つの走査線に接続された発光素子の前記リセット期間における放電開始タイミングが異なるように制御される構成にされる。【００４４】
また、好ましい第２の構成は請求項２に記載のとおり、複数のデータ線および複数の走査線の各交差位置に容量性の発光素子を含む画素が配置された表示パネルと、前記各走査線に接続されて選択的に前記各走査線の走査を実行する走査ドライバと、前記各画素に表示信号を供給するデータドライバとが具備された表示装置であって、前記走査ドライバによる走査に同期して、前記各発光素子に蓄積された電荷を放電させるリセット期間が設定され、次の走査期間において走査対象外となる走査線のうち、少なくとも２つの走査線に接続された発光素子の前記リセット期間における放電終了タイミングが異なるように制御される構成にされる。【００４５】
また、好ましい第３の構成は請求項３に記載のとおり、複数のデータ線および複数の走査線の各交差位置に容量性の発光素子を含む画素が配置された表示パネルと、前記各走査線に接続されて選択的に前記各走査線の走査を実行する走査ドライバと、前記各画素に表示信号を供給するデータドライバとが具備された表示装置であって、前記走査ドライバによる走査に同期して、前記各発光素子に蓄積された電荷を放電させるリセット期間が設定され、前記走査線のうち、少なくとも２つの走査線に接続された発光素子の前記リセット期間における放電開始タイミングが異なり、かつ次の走査期間において走査対象外となる走査線のうち、少なくとも２つの走査線に接続された発光素子の前記リセット期間における放電終了タイミングが異なるように制御される構成にされる。【００４６】
また、前記した課題を解決するためになされたこの発明にかかる表示装置の駆動方法は、以下の各独立請求項に示す事項を少なくとも具備する点に特徴を有する。  【００４７】
その好ましい第１の駆動方法は請求項１０に記載のとおり、複数のデータ線および複数の走査線の各交差位置に容量性の発光素子を含む画素が配置された表示パネルと、前記各走査線に接続されて選択的に前記各走査線の走査を実行する走査ドライバと、前記各画素に表示信号を供給するデータドライバとが具備された表示装置の駆動方法であって、前記走査ドライバによる走査に同期して、前記各発光素子に蓄積された電荷を放電させるリセット期間が設定され、前記走査線のうち、少なくとも２つの走査線に接続された発光素子の前記リセット期間における放電開始タイミングが異なるように制御される。【００４８】
また、好ましい第２の駆動方法は請求項１１に記載のとおり、複数のデータ線および複数の走査線の各交差位置に容量性の発光素子を含む画素が配置された表示パネルと、前記各走査線に接続されて選択的に前記各走査線の走査を実行する走査ドライバと、前記各画素に表示信号を供給するデータドライバとが具備された表示装置の駆動方法であって、前記走査ドライバによる走査に同期して、前記各発光素子に蓄積された電荷を放電させるリセット期間が設定され、次の走査期間において走査対象外となる走査線のうち、少なくとも２つの走査線に接続された発光素子の前記リセット期間における放電終了タイミングが異なるように制御される。【００４９】
また、好ましい第３の駆動方法は請求項１２に記載のとおり、複数のデータ線および複数の走査線の各交差位置に容量性の発光素子を含む画素が配置された表示パネルと、前記各走査線に接続されて選択的に前記各走査線の走査を実行する走査ドライバと、前記各画素に表示信号を供給するデータドライバとが具備された表示装置の駆動方法であって、前記走査ドライバによる走査に同期して、前記各発光素子に蓄積された電荷を放電させるリセット期間が設定され、前記走査線のうち、少なくとも２つの走査線に接続された発光素子の前記リセット期間における放電開始タイミングが異なり、かつ次の走査期間において走査対象外となる走査線のうち、少なくとも２つの走査線に接続された発光素子の前記リセット期間における放電終了タイミングが異なるように制御される。
【図面の簡単な説明】
【００５０】
【図１】従来の表示装置の一例を示した回路構成図である。
【図２】図１に示す表示装置においてなされるリセット動作を説明する等価回    路図である。
【図３】リセット期間を含む従来の表示装置の点灯駆動動作を説明するタイミ    ングチャートである。
【図４】リセット期間を含む従来の表示装置の他の点灯駆動動作を説明するタ    イミングチャートである。
【図５】この発明にかかる表示装置における走査ドライバの構成例を示したブ    ロック図である。
【図６】同じく走査ドライバにおける一つの走査スイッチの例を示した回路構    成図である。
【図７】図５に示した走査ドライバの作用を説明するタイミングチャートであ    る。
【図８】この発明にかかる表示装置の点灯駆動動作を説明するタイミングチャ    ートである。
【図９】この発明にかかる表示装置の他の点灯駆動動作例を説明するタイミン    グチャートである。
【図１０】同じく、さらに他の点灯駆動動作例を説明するタイミングチャート    である。
【符号の説明】
【００５１】
１              表示パネル
２              データドライバ
３              走査ドライバ
４              発光制御回路
Ａ１〜Ａｍ      データ線（陽極線）
Ｅ１１〜Ｅｍｎ  発光素子（有機ＥＬ素子）
Ｉ１〜Ｉｍ      定電流源
Ｋ１〜Ｋｎ      走査線（陰極線）
Ｓａ１〜Ｓａｍ  ドライブスイッチ
Ｓｋ１〜Ｓｋｎ  走査スイッチ
ＶＨ            駆動電圧源
ＶＭ            逆バイアス電圧源
【発明を実施するための最良の形態】
【００５２】
以下、この発明にかかる表示装置およびその駆動方法について、図に示す実施の形態に基づいて説明する。まず、この発明にかかる表示装置の基本構成はすでに説明した図１に示すとおりである。加えてこの発明にかかる実施の形態においては、例えば図５に示す走査ドライバの構成が採用される。【００５３】
すなわち、図５に示す符号３は、この発明において採用される走査ドライバの一例をブロック図によって示したものである。この走査ドライバ３にはＳＲ１〜ＳＲｎで示すシフトレジスタが直列に接続された走査用のシフトレジスタ群３Ａが具備されている。この走査用のシフトレジスタ群３Ａには、走査シフトクロックＣＫおよび走査スタートパルスＳＰが図１に示された発光制御回路４より供給されるように構成されている。【００５４】
前記シフトレジスタ群３Ａは前記走査シフトクロックＣＫおよび走査スタートパルスＳＰを受けて走査同期信号に同期して、ＳＲ１〜ＳＲｎで示す各シフトレジスタにシフト出力を順に生成させる。すなわち、シフト出力が生成されるシフトレジスタが順に切り替えられるように作用する。【００５５】
一方、符号３Ｂは、前記各シフトレジスタＳＲ１〜ＳＲｎからのシフト出力を用いてリセット期間における放電開始タイミングおよび放電終了タイミングを制御する出力制御回路を構成しており、ここには各シフトレジスタＳＲ１〜ＳＲｎからのシフト出力を受けるゲート回路ＧＣ１〜ＧＣｎが具備されている。そして、前記出力制御回路３Ｂには、放電制御信号Ａ（ＤＣＡ）および放電制御信号Ｂ（ＤＣＢ）が供給されるように構成されている。【００５６】
図７に前記出力制御回路３Ｂの動作を説明するタイミングチャートを示す。前記出力制御回路３Ｂには、若干位相のずれた放電制御信号Ａ（ＤＣＡ）および放電制御信号Ｂ（ＤＣＢ）が供給される。そして、この実施の形態においては前記ＤＣＡに同期して奇数番目の走査線（図７ではＫ１およびＫ３として示す走査線）の放電開始および終了タイミングが設定される。また、前記ＤＣＢに同期して偶数番目の走査線（図７ではＫ２およびＫ４として示す走査線）の放電開始および終了タイミングが設定されるように動作する。【００５７】
前記図７においては紙面の都合で、Ｋ１〜Ｋ４の各走査線に対応した制御出力信号の例が示されているが、これはＫ５以降の各走査線においても同様に走査線の奇数および偶数番目に応じて、前記ＤＣＡおよびＤＣＢに同期して放電開始および終了タイミングが設定される。【００５８】
そして、図７にＫ１〜Ｋ４で示す制御出力信号は、それぞれ図５に示した走査スイッチ群３Ｃに供給される。なお、図６においては、そのうちの１つの走査スイッチＳＫ１の構成例を示しているが、これは他の走査スイッチＳＫ２〜ＳＫｎにおいても同様に構成される。【００５９】
例えば図６に示した走査スイッチＳＫ１は、第１のアナログスイッチとしてｐ型のＭＯＳＦＥＴ（Ｑ１）が用いられ、このＦＥＴのソースに対して前記逆バイアス電圧ＶＭが供給される。またＦＥＴ（Ｑ１）のドレインは第１の走査線Ｋ１に接続されており、これによりＯＮ／ＯＦＦ制御信号（ａ）が、そのゲートに供給されることにより、第１の走査線Ｋ１に逆バイアス電圧ＶＭを選択的に供給することができる。【００６０】
一方、第２のアナログスイッチとしてｎ型のＭＯＳＦＥＴ（Ｑ２）が用いられ、このＦＥＴのソースは前記した走査選択電位（グランド電位ＧＮＤ）に接続されている。またＦＥＴ（Ｑ２）ドレインは前記第１の走査線Ｋ１に接続されており、これによりＯＮ／ＯＦＦ制御信号（ｂ）が、そのゲートに供給されることにより、第１の走査線Ｋ１を選択的に走査選択電位に設定することができる。【００６１】
斯くして図６に示した構成の各走査スイッチには、ＯＮ／ＯＦＦ制御信号（ａ）および（ｂ）として、図７にＫ１〜Ｋ４に示した各制御出力信号が供給される。この結果、図８に示すように奇数および偶数番目の走査線ごとにリセット期間における放電開始タイミングおよび放電終了タイミングが異なるように制御される。【００６２】
なお、図８に示す（Ａ）〜（Ｃ）はすでに説明した図３および図４と同様であり、したがってその詳細な説明は省略する。そして、図８においては（Ｆ）として示すように、第ｎ番目の走査線（図では走査ラインと標記している。）が走査される例を示している。この時に走査非対象としての奇数番目の走査ラインを代表する走査ライン１における電圧の印加状態を（Ｄ）で示し、また走査非対象としての偶数番目の走査ラインを代表する走査ライン２における電圧の印加状態を（Ｅ）で示している。【００６３】
図８に示したようにこの実施の形態においては、表示パネルに配列された走査線の配列順序において、奇数番目と偶数番目の走査線に接続された各ＥＬ素子のリセット期間における放電開始タイミング（図８にｄ，ｅとして示す。）と、放電終了タイミング（図８にｆ，ｇとして示す。）が異なるように制御される。【００６４】
この結果、リセット期間における放電開始タイミングは、図８にｄ，ｅとして示すように二つに分散され、この時に生ずる放射ノイズのレベルを低減させることができる。またリセット期間における放電終了タイミングも、図８にｆ，ｇとして示すように二つに分散され、したがってこの時に生ずる放射ノイズのレベルを低減させることができる。【００６５】
さらにリセット期間における放電終了タイミングがｆ，ｇとして示すように分散されるので、逆バイアス電圧源ＶＭより、非走査対象となる走査線を介して流れる充電用の電流値を抑制させることができる。この結果、電源電圧の変動に伴う表示品質の悪化を低減させることができる。【００６６】
次に図９は、奇数番目と偶数番目の走査線に接続された各ＥＬ素子のリセット期間における放電開始タイミングが異なるように制御される例を示している。なお、図９における（Ａ）〜（Ｆ）は、図８に示した例と同様であり、したがってその詳細な説明は省略する。【００６７】
この図９に示す例においても、奇数番目と偶数番目の走査線に接続された各ＥＬ素子の放電開始タイミングが、図９にｄ，ｅとして示すように異なるように制御されるので、放射ノイズレベルの低減効果を期待することができる。【００６８】
さらに図１０は、奇数番目と偶数番目の走査線に接続された各ＥＬ素子のリセット期間における放電終了タイミングが異なるように制御される例を示している。なお、図１０における（Ａ）〜（Ｆ）も、図８に示した例と同様であり、したがってその詳細な説明は省略する。【００６９】
この図１０に示す例においても、奇数番目と偶数番目の走査線に接続された各ＥＬ素子の放電終了タイミングが、図１０にｆ，ｇとして示すように異なるように制御されるので、放射ノイズレベルの低減効果を期待することができる。また、この図１０に示す例においては、放電終了タイミングが分散されることで、非走査対象となる走査線を介して流れる充電用の電流値を抑制させることができ、電源電圧の変動に伴う表示品質の悪化を低減させることができる。【００７０】
以上説明した実施の形態においては、奇数番目と偶数番目の走査線に接続された各ＥＬ素子のリセット期間における放電開始タイミングおよび／または放電終了タイミングが異なるように制御される例を示しているが、これは奇数番目および偶数番目に限らず、少なくとも２つの走査線において前記した制御が実行されることで、放射ノイズレベルの低減効果を得ることができる。【００７１】
また、複数の走査線を前半と後半に分け、前半の走査線群と後半の走査線群の放電開始タイミングおよび／または放電終了タイミングが異なるように制御しても同様に効果を得ることができる。【００７２】
さらに、前記放電開始タイミングおよび／または放電終了タイミングは、走査線ごとに異なるように制御することで、より一層の放射ノイズレベルの低減効果を期待することができる。【００７３】
なお、以上説明した実施の形態においては、表示パネルに配列された発光素子として有機ＥＬ素子を用いた例を示しているが、この発明にかかる表示装置においては、ダイオード特性を有する容量性の発光素子を具備した他の表示パネルを用いる表示装置にも適用することができ、同様の作用効果を得ることができる。
【図１】
2008111182.tif 000003
【図２】
2008111182.tif 000004
【図３】
2008111182.tif 000005
【図４】
2008111182.tif 000006
【図５】
2008111182.tif 000007
【図６】
2008111182.tif 000008
【図７】
2008111182.tif 000009
【図８】
2008111182.tif 000010
【図９】
2008111182.tif 000011
【図１０】
2008111182.tif 000012
【国際調査報告】
2008111182.tif 000013
2008111182.tif 000014